(57)【要約】【課題】着脱可能な着脱型記録媒体に対するデータの書き込みの効率を向上させる。【解決手段】ドライブ部３０１は、光ディスクとは異なる記憶部３４１と、リアルタイムデータ用の書き込み命令、又は、非リアルタイムデータ用の書き込み命令と共に、書き込むべきデータを取得するインターフェース部３１０と、インターフェース部３１０が、リアルタイムデータ用の書き込み命令を取得したか、非リアルタイムデータ用の書き込み命令を取得したかを判定する情報判定部３２５と、リアルタイムデータ用の書き込み命令を取得したと情報判定部３２５によって判定されたとき、その書き込み命令と共に取得したデータを上記光ディスクに書き込ませ、非リアルタイムデータ用の書き込み命令を取得したと判定部３２５によって判定されたとき、その書き込み命令と共に取得したデータを記憶部３４１に書き込ませるドライブ制御部３２０と、を備えている。【選択図】図１
2010238338.tif 000002
【特許請求の範囲】
【請求項１】
着脱可能な着脱型記録媒体にデータを記録可能なドライブ装置であって、
上記着脱型記録媒体とは異なる記録媒体と、
リアルタイムデータ用の書き込み命令、または、非リアルタイムデータ用の書き込み命令と共に、書き込むべきデータを取得するインターフェース部と、
上記インターフェース部が、リアルタイムデータ用の書き込み命令を取得したか、非リアルタイムデータ用の書き込み命令を取得したかを判定する判定手段と、
上記インターフェース部がリアルタイムデータ用の書き込み命令を取得したと上記判定手段によって判定されたとき、その書き込み命令と共に取得したデータを上記着脱型記録媒体に書き込ませ、上記インターフェース部が非リアルタイムデータ用の書き込み命令を取得したと上記判定手段によって判定されたとき、その書き込み命令と共に取得したデータを上記記録媒体に書き込ませる制御手段と、を備えていることを特徴とするドライブ装置。
【請求項２】
上記記録媒体に書き込まれたデータを、上記着脱型記録媒体へ書き込む着脱型記録媒体書き込み手段を備えていることを特徴とする請求項１に記載のドライブ装置。
【請求項３】
請求項１又は２に記載のドライブ装置と、上記ドライブ装置に対して、上記着脱型記録媒体に書き込むべきデータを出力するバックエンド装置とを備える情報記録装置であって、
上記バックエンド装置は、上記着脱型記録媒体に書き込むべきデータを書き込むために、発行すべき書き込み命令を識別する識別手段と、
上記識別手段の識別結果に基づいて、上記書き込み命令として、リアルタイムデータ用の書き込み命令、または、非リアルタイムデータ用書き込み命令を発行し、当該発行した書き込み命令と共に、上記着脱型記録媒体に書き込むべきデータを、上記インターフェース部に出力するデータ出力手段とを備えることを特徴とする情報記録装置。
【請求項４】
着脱可能な着脱型記録媒体にデータを記録可能なデータ記録方法であって、リアルタイムデータ用の書き込み命令、または、非リアルタイム用の書き込み命令と共に、書き込むべきデータを取得するデータ取得ステップと、
上記データ取得ステップで、リアルタイムデータ用の書き込み命令が取得されたか、非リアルタイム用の書き込み命令が取得されたかを判定する書き込み命令判定ステップと、
上記書き込み命令判定ステップで、リアルタイムデータ用の書き込み命令を取得したと判定されたとき、その書き込み命令と共に取得したデータを上記着脱型記録媒体に書き込ませ、上記書き込み命令判定ステップで、非リアルタイムデータ用の書き込み命令を取得したと判定されたとき、その書き込み命令と共に取得したデータを、上記着脱型記録媒体とは異なる記録媒体に書き込むデータ書き込みステップとを含むことを特徴とするデータ記録方法。
【請求項５】
請求項１又は２に記載のドライブ装置を動作させるためのプログラムであって、コンピュータを上記の各手段として機能させるためのデータ記録プログラム。
【請求項６】
請求項５に記載のデータ記録プログラムを記録している、コンピュータ読み取り可能な記録媒体。
【発明の詳細な説明】
【技術分野】
【０００１】
本発明は、着脱可能な着脱型記録媒体にデータを記録するドライブ装置、情報記録媒体、データ記録方法、データ記録プログラム、及びコンピュータ読み取り可能な記録媒体に関する。
【背景技術】
【０００２】
現在さまざまな方式のデータストレージ（記録）のためのメディアが実用化されている。中でもＤＶＤ（Digital Versatile Disc）やＢＤ（Blu-ray Disc：登録商標）などの光ディスクは、バイト単価の低いリムーバブルメディアとして、映像記録用、データ記録用など、さまざまな用途に広く活用されている。
【０００３】
しかしながら，これらの光ディスクへのデータ記録に当たっては、頻繁な書き換えや、複数の領域に並行して書き込む処理が不得手という特性がある。このため、特に映像記録装置などにおいては、連続した領域に長大なデータを記録し、かつ書き換えの少ない映像データや、音声データなどのリアルタイムデータのみをリアルタイムに記録し、録画の進捗とともに頻繁に書き換える必要のある管理情報などの非リアルタイムデータについてはバックエンド側で、一旦、記憶しておき、光ディスクイジェクトの際にまとめて光ディスクへ反映させるという方式が一般的である。
【０００４】
つまり、ハードディスクやフラッシュメモリなど，頻繁な書き換えや複数の領域に並行して書き込む処理に適したメディアへの記録と比べて、光ディスクへデータを記録する際、バックエンド側に特別な機構を用意する必要があり、開発や保守における課題となっていた。
【０００５】
そこで、リアルタイムデータと、非リアルタイムデータを判定して、その判定結果に基づいて記録する領域を変更する方法が開示されている。
【０００６】
例えば、特許文献１には、非リアルタイムデータと、リアルタイムデータとをそれぞれ記録する領域を情報記録媒体に設ける制御装置が開示されている。同一の領域に対するデータの書き換え回数が制限された光ディスクに対してデータを書き込む際、書き込むデータがリアルタイムデータであるか、非リアルタイムデータであるかを判定し、判定結果に応じて、上記光ディスクにおける上記データを書き込む領域をサーチする。そして、非リアルタイムデータの書き込む領域が、多少離れていたとしても、非リアルタイムデータの書き込みを優先させることにより、光ディスクの利用状況に応じて、データを書き込む領域を有効利用する。
【先行技術文献】
【特許文献】
【０００７】
【特許文献１】ＷＯ２００５／０７６２７５（２００５年８月１８日国際公開）
【発明の概要】
【発明が解決しようとする課題】
【０００８】
しかしながら、特許文献１の技術では、内容の更新が頻繁に必要な非リアルタイムデータを光ディスクに記録するので、非リアルタイムデータの内容が更新されるたびに、光ディスクへ記録し直す必要がある。このため、頻繁に光ディスクへの記録の更新が必要となる。また、データの書き換え回数が制限された光ディスクに対してデータを書き込む際にも、非リアルタイムデータを頻繁に更新する必要があるので、制限されたデータの書き換え回数の上限をすぐに超えてしまう。
【０００９】
このように、特許文献１に開示された技術では、光ディスクへのデータの書き込み効率が悪いという課題が生じる。
【００１０】
本発明は、上記の課題を解決するためになされたもので、その目的は、着脱型記録媒体へのデータの書き込み効率を向上させたドライブ装置、情報記録媒体、データ記録方法、データ記録プログラム、及びコンピュータ読み取り可能な記録媒体を提供することである。
【課題を解決するための手段】
【００１１】
上記の課題を解決するために、ドライブ装置は、着脱可能な着脱型記録媒体にデータを記録可能なドライブ装置であって、上記着脱型記録媒体とは異なる記録媒体と、リアルタイムデータ用の書き込み命令、または、非リアルタイムデータ用の書き込み命令と共に、書き込むべきデータを取得するインターフェース部と、上記インターフェース部が、リアルタイムデータ用の書き込み命令を取得したか、非リアルタイムデータ用の書き込み命令を取得したかを判定する判定手段と、上記インターフェース部がリアルタイムデータ用の書き込み命令を取得したと上記判定手段によって判定されたとき、その書き込み命令と共に取得したデータを上記着脱型記録媒体に書き込ませ、上記インターフェース部が非リアルタイムデータ用の書き込み命令を取得したと上記判定手段によって判定されたとき、その書き込み命令と共に取得したデータを上記記録媒体に書き込ませる制御手段と、を備えていることを特徴とする。
【００１２】
上記課題を解決するために、データ記録方法は、着脱可能な着脱型記録媒体にデータを記録可能なデータ記録方法であって、リアルタイムデータ用の書き込み命令、または、非リアルタイム用の書き込み命令と共に、書き込むべきデータを取得するデータ取得ステップと、上記データ取得ステップで、リアルタイムデータ用の書き込み命令が取得されたか、非リアルタイム用の書き込み命令が取得されたかを判定する書き込み命令判定ステップと、上記書き込み命令判定ステップで、リアルタイムデータ用の書き込み命令を取得したと判定されたとき、その書き込み命令と共に取得したデータを上記着脱型記録媒体に書き込ませ、上記書き込み命令判定ステップで、非リアルタイムデータ用の書き込み命令を取得したと判定されたとき、その書き込み命令と共に取得したデータを、上記着脱型記録媒体とは異なる記録媒体に書き込むデータ書き込みステップとを含むことを特徴とする。
【００１３】
上記構成により、上記インターフェース部は、リアルタイムデータ用の書き込み命令、または、非リアルタイムデータ用の書き込み命令と共に、書き込むべきデータを取得する。
【００１４】
そして、上記判定手段は、上記インターフェース部がリアルタイムデータ用の書き込み命令を取得したか、上記非リアルタイムデータ用の書き込み命令を取得したかを判定する。
【００１５】
さらに、判定手段によって、上記インターフェース部がリアルタイムデータ用の書き込み命令を取得したと判定されると、上記制御手段は、上記その書き込み命令と共に上記インターフェース部が取得したデータを、上記着脱型記録媒体に書き込む。また、上記判定手段によって、上記インターフェース部が非リアルタイム用の書き込み命令を取得したと判定されると、上記その書き込み命令と共に上記インターフェース部が取得したデータを上記着脱型記録媒体とは異なる上記記録媒体に書き込む。
【００１６】
このように、上記制御部は、上記インターフェース部が取得した書き込み命令に応じて、その書き込み命令と共に取得したデータを、上記記録媒体に書き込むか、上記着脱型記録媒体に書き込むかを選択することができる。
【００１７】
このため、非リアルタイムデータ用の書き込み命令と共に取得した書き込むべきデータが、頻繁に内容の更新が必要なデータである場合でも、そのデータを、上記制御部は、上記記録媒体に記録することができる。このため、非リアルタイムデータ用の書き込み命令と共に取得した書き込むべきデータが、頻繁に内容の更新が必要なデータである場合でも、頻繁に内容の更新がされるたびに、上記制御部は、上記着脱型記録媒体に上記データを書き込み直す必要がないので、上記着脱型記録媒体に対するデータの書き込みの効率を向上させることができる。
【００１８】
上記ドライブ装置は、上記記録媒体に書き込まれたデータを、上記着脱型記録媒体へ書き込む着脱型記録媒体書き込み手段を備えていることが好ましい。
【００１９】
上記構成により、上記着脱型記録媒体書き込み手段は、上記制御手段によって上記記録媒体に書き込まれたデータを、上記着脱型記録媒体に書き込む。これにより、上記記録媒体に書き込まれたデータであって、上記着脱型記録媒体に書き込むことが必要なデータを上記着脱型記録媒体に書き込むことができる。
【００２０】
上記情報記録装置は、上記ドライブ装置と、上記ドライブ装置に対して、上記着脱型記録媒体に書き込むべきデータを出力するバックエンド装置とを備える情報記録装置であって、上記バックエンド装置は、上記着脱型記録媒体に書き込むべきデータを書き込むために、発行すべき書き込み命令を識別する識別手段と、上記識別手段の識別結果に基づいて、上記書き込み命令として、リアルタイムデータ用の書き込み命令、または、非リアルタイムデータ用書き込み命令を発行し、当該発行した書き込み命令と共に、上記着脱型記録媒体に書き込むべきデータを、上記インターフェース部に出力するデータ出力手段とを備えることが好ましい。
【００２１】
上記構成により、上記識別手段は、上記着脱型記録媒体に書き込むべきデータを上記着脱型記録媒体に書き込むために、発行すべき書き込み命令を識別する。そして、上記データ出力手段は、上記識別手段の識別結果に基づいて、リアルタイムデータ用書き込み命令、または、非リアルタイム用書き込み命令を発行する。そして、上記データ出力手段は、発行したリアルタイムデータ用書き込み命令、または、非リアルタイム用書き込み命令と共に、上記着脱型記録媒体に書き込むべきデータを、上記インターフェース部に出力する。
【００２２】
そして、上記ドライブ装置に記録媒体を設けているので、上記バックエンド装置は、上記着脱型記録媒体に書き込むべきデータが、リアルタイムデータであるか、非リアルタイムデータであるかを意識することなく、書き込み命令と共に、上記着脱型記録媒体に書き込むべきデータを、上記ドライブ装置に出力することができる。このため、上記バックエンド装置は、上記着脱型記録媒体に書き込むべきデータを、一次記憶させる記録媒体を設ける必要がない。
【００２３】
このため、上記情報記録装置の上記バックエンド装置は、上記着脱型記録媒体など、情報を記録するためのメディアの特性を意識することなく、非リアルタイムデータ、及びリアルタイムデータを、上記ドライブ装置に出力することができる。
【００２４】
このため、上記バックエンド装置の開発、保守の効率を向上させることができる。
【００２５】
本発明に係るドライブ装置を動作させるためのプログラムであって、コンピュータを上記の各手段として駆動させることを特徴とするプログラムおよび該プログラムを記録したコンピュータ読み取り可能な記録媒体も本発明の範疇に含まれる。
【発明の効果】
【００２６】
本発明のドライブ装置は、着脱可能な着脱型記録媒体にデータを記録可能なドライブ装置であって、上記着脱型記録媒体とは異なる記録媒体と、リアルタイムデータ用の書き込み命令、または、非リアルタイムデータ用の書き込み命令と共に、書き込むべきデータを取得するインターフェース部と、上記インターフェース部が、リアルタイムデータ用の書き込み命令を取得したか、非リアルタイムデータ用の書き込み命令を取得したかを判定する判定手段と、上記インターフェース部がリアルタイムデータ用の書き込み命令を取得したと上記判定手段によって判定されたとき、その書き込み命令と共に取得したデータを上記着脱型記録媒体に書き込ませ、上記インターフェース部が非リアルタイムデータ用の書き込み命令を取得したと上記判定手段によって判定されたとき、その書き込み命令と共に取得したデータを上記記録媒体に書き込ませる制御手段と、を備えている。
【００２７】
本発明のデータ記録方法は、着脱可能な着脱型記録媒体にデータを記録可能なデータ記録方法であって、リアルタイムデータ用の書き込み命令、または、非リアルタイム用の書き込み命令と共に、書き込むべきデータを取得するデータ取得ステップと、上記データ取得ステップで、リアルタイムデータ用の書き込み命令が取得されたか、非リアルタイム用の書き込み命令が取得されたかを判定する書き込み命令判定ステップと、上記書き込み命令判定ステップで、リアルタイムデータ用の書き込み命令を取得したと判定されたとき、その書き込み命令と共に取得したデータを上記着脱型記録媒体に書き込ませ、上記書き込み命令判定ステップで、非リアルタイムデータ用の書き込み命令を取得したと判定されたとき、その書き込み命令と共に取得したデータを、上記着脱型記録媒体とは異なる記録媒体に書き込むデータ書き込みステップとを含む。
【００２８】
これにより、着脱型記録媒体に対するデータの書き込みの効率を向上させるという効果を奏する。
【図面の簡単な説明】
【００２９】
【図１】本発明の実施の一形態に係るレコーダ装置の要部構成を表すブロック図である。
【図２】図１のレコーダ装置の動作を説明する図である。
【図３】図１のレコーダ装置の処理の流れを説明するフローチャートである。
【図４】実施形態に係るレコーダ装置の要部構成を示すブロック図である。
【図５】ドライブ部に備えられた記憶部の初期化処理を示す図であり、（ａ）は記憶部の初期化の際の表示装置における表示の一例を示す図であり、（ｂ）は初期化処理後の記憶部を模式的に示す図である。
【図６】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図７】実施形態に係るレコーダ装置における予約登録処理を示す図であり、（ａ）は予約登録処理後の記憶部の状態を模式的に示した図であり、（ｂ）は予約登録処理後の記憶部およびマイディスクの状態を模式的に示した図であり、（ｃ）は予約登録処理の際の表示装置における表示の一例を示した図である。
【図８】マイディスクが装填されている状態での録画処理を示す図であり、（ａ）は録画処理後の記憶部およびマイディスクの状態を模式的に示した図であり、（ｂ）は録画処理後の記憶部の状態を模式的に示した図である。
【図９】コンテンツ１を録画した際の各記憶部の状態を示す図であり、（ａ）は領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図１０】本実施形態に係るレコーダ装置においてマイディスクが装填されていない状態での録画処理を示す図であり、（ａ）は録画処理後の記憶部の状態を模式的に示した図であり、（ｂ）は録画処理後の記憶部の状態を模式的に示した図である。
【図１１】コンテンツ２を録画した際の各記憶部の状態を示す図であり、（ａ）は領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図１２】コンテンツの同期処理後の記憶部およびディスク１の状態を示す図である。
【図１３】コンテンツ２を同期処理した際の各記憶部の状態を示す図であり、（ａ）は領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１４】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１５】領域１に記録されていたコンテンツ１およびコンテンツ２を削除した後に、新たにコンテンツ４を録画したときの記憶部およびディスク１の状態を示す図である。
【図１６】コンテンツ４を録画した際の各記憶部の状態を示す図であり、（ａ）は領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図１７】コンテンツ１〜３を記録したディスク１が装填されている場合の各記憶部の状態を示す図である。
【図１８】マイディスクが装填されている場合において、再生時にコンテンツが読み出される媒体を模式的に示した図である。
【図１９】ドライブ部に光ディスクが装填されていない場合の各記憶部の状態を示す図である。
【図２０】マイディスクが装填されていない場合において、再生時にコンテンツが読み出される媒体を模式的に示した図である。
【図２１】マイディスクが装填されている場合において、コンテンツが編集される媒体を模式的に示した図である。
【図２２】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２３】本実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２４】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２５】表示装置におけるコンテンツおよびタイトルリストに記録されている情報の表示を概略的に示す図である。
【発明を実施するための形態】
【００３０】
〔実施形態１〕
本発明に係るレコーダ装置の構成および当該レコーダ装置の動作の概要について、以下に説明する。なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００３１】
本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなど、着脱可能な記録媒体にデータを書き込むドライブ装置一般に適用することができる。
【００３２】
＜レコーダ装置１０１の構成＞
本実施形態に係るレコーダ装置の構成について、図１を参照しつつ以下に説明する。図１は、レコーダ装置１０１の要部構成を示すブロック図である。
【００３３】
図１に示すように、レコーダ装置１０１（情報記録装置）は、レコーダ装置１０１に入力されるコンテンツの再生または記録（録画）全般を実行するバックエンド部２００（バックエンド装置）、ならびに、装填されている光ディスク（着脱可能な着脱型記録媒体）からのデータの読み出し、および装填されている光ディスクに対するデータの書き込み全般を実行するドライブ部３０１（ドライブ装置）を備えている。
【００３４】
ドライブ部３０１は、光ディスクにデータを記録可能なものであって、従来の光ディスクドライブ装置が備えている機能に加え、以下の機能を新規な機能を有している。すなわち、（１）ユーザにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３０１内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行なう。以下、このようなバックエンド部２００およびドライブ部３０１の構成例について、以下に順に説明する。
【００３５】
バックエンド部２００は、ドライブ部３０１に対するデータの書き込み指示、またはドライブ部３０１に対するデータの読み込み指示を行うものである。
【００３６】
バックエンド部２００は、図１に示すように、チューナー部２１０、エンコーダ部２２０、ストリーム処理部２３０、情報識別部２４５（識別手段）を含むバックエンド制御部２４０、デコーダ部２６０、画像処理部２７０、バッファ部２５０、記憶部２８０およびインターフェース部２９０（データ出力手段）を備えている。また、図１に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００３７】
ドライブ部３０１は、図１に示すように、インターフェース部３１０、情報判定部３２５（判定手段）を含むドライブ制御部３２０（制御手段）、ディスクドライブ部３３０（着脱型記録媒体書き込み手段）、記憶部３４１（記録媒体）を備えている。また、図１に示すように、インターフェース部３１０、ドライブ制御部３２０、ディスクドライブ部３３０および記憶部３４１は、バスラインを介して互いに接続されている。
【００３８】
ドライブ部３０１は、主たる記憶手段である光ディスクに情報を記録するディスクドライブ部３３０を内蔵しており、さらに光ディスクとは別に、ディスクドライブ部３３０と連動して動作する記憶部３４１を内蔵しているハイブリッドドライブである。記憶部３４１は、頻繁に、書き換えを要するデータを記録する。これにより、バックエンド部２００が、光ディスクを意識せずに、ドライブ部３０１に対して、データの書き込み指示を行うことができる。
【００３９】
バックエンド部２００およびドライブ部３０１の備える各部材について、以下に説明する。
【００４０】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００４１】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００４２】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００４３】
なお、ストリーム処理部２３０において処理されたコンテンツデータは、一時的にバッファ部２５０に格納される。バッファ部２５０は、表示装置またはドライブ部３０１に対して出力するコンテンツデータ（映像データ、音声データなど）を一時的に記憶するメモリである。バッファ部２５０は、揮発メモリを用いることが一般的であるが、不揮発性メモリを用いてもよい。
【００４４】
（バックエンド制御部２４０、情報識別部２４５）
バックエンド制御部２４０は、レコーダ装置１０１におけるコンテンツデータの記録および再生全般を制御するものであり、光ディスクに書き込むべきデータを光ディスクに書き込むために、発行すべき書き込み命令を識別し、識別結果をインターフェース部２９０に出力する情報識別部２４５を備える。情報識別部２４５は、リアルタイムデータ用の書き込み命令、または、非リアルタイム用の書き込み命令を、識別結果として出力する。なお、情報識別部２４５が、リアルタイムデータ用の書き込み命令、または、非リアルタイム用の書き込み命令を識別する方法については後述する。
【００４５】
ここで、リアルタイムデータとは、再生される際に、連続して再生されることが要求されるデータである。リアルタイムデータは、連続した長大なデータであり、例えば、映像データや音声データなどのストリームデータが含まれる。
【００４６】
非リアルタイムデータとは、リアルタイムデータに対応して生成されるデータであり、例えば、リアルタイムデータを管理するための管理情報等が含まれる。非リアルタイムデータは、リアルタイムデータが光ディスクに記録される際、複数回、内容が更新されるデータである。つまり、非リアルタイムデータは、頻繁に内容の更新が必要なデータである。非リアルタイムデータは、リアルタイムデータと比較して、データのサイズが小さいものである。
【００４７】
なお、以下の説明では、リアルタイムデータであるか、非リアルタイムデータであるかを区別しない場合は、単にコンテンツデータ（またはコンテンツ）と称する。
【００４８】
ストリーム処理部２３０において復元したコンテンツデータを、ドライブ部３０１に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３０１に対して出力する。
【００４９】
ドライブ部３０１に装填されている光ディスクに記録されているコンテンツデータを再生する場合、バックエンド制御部２４０は、ドライブ部３０１に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００５０】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００５１】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００５２】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００５３】
なお、表示装置に表示する画像に付加情報（例えば、字幕、タイトルリスト、メニュー情報、アイコン等）を付加する場合には、画像処理部２７０において、高品質化処理を施した動画像データに対して必要な付加情報を重畳する。
【００５４】
（記憶部２８０）
記憶部２８０は、バックエンド制御部２４０が実行するプログラムおよびデータを格納する。なお、バックエンド制御部２４０が実行するプログラムは、アプリケーション固有のプログラムと、各アプリケーションが共用可能な汎用プログラムとに分離されていてもよい。
【００５５】
また、記憶部２８０には、予約情報およびタイトル管理情報が記録されている。予約情報およびタイトル管理情報の詳細については以下に詳述するため、ここではその説明を省略する。
【００５６】
なお、記憶部２８０は、電源をオフにしても記録内容の消去されない不揮発性メモリであることが好ましい。
【００５７】
（インターフェース部２９０、３１０）
インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡを用いてもよい。また、ＡＴＡＰＩなどであってもよい。
【００５８】
インターフェース部２９０は、入力されたコンテンツデータをインターフェース部３１０を介してドライブ部３０１に対して出力する。インターフェース部２９０は、情報識別部２４５の識別結果に基づいて、光ディスクに書き込むべきデータを書き込むための書き込み命令（コマンドと呼称する）として、リアルタイムデータを書き込むための命令（リアルタイムデータ用の書き込み命令）、または、非リアルタイムデータを書き込むための命令（非リアルタイムデータ用書き込み命令）を発行し、当該発行した書き込み命令と共に、光ディスクに書き込むべきデータを、インターフェース部３１０に出力する。
【００５９】
なお、以下では、リアルタイムデータ用の書き込み命令をリアルタイム書き込み指示と称し、非リアルタイムデータを書き込むための命令を非リアルタイム書き込み指示と称する場合がある。
【００６０】
インターフェース部３１０は、インターフェース部２９０から、コマンドと共に、光ディスクに書き込むべきデータを取得する。インターフェース部３１０は、インターフェース部２９０から取得したコマンドが、リアルタイムデータ用の書き込み命令であれば、当該コマンドと共に、光ディスクに書き込むべきデータを記憶部３４１に記録する。また、インターフェース部３１０は、インターフェース部２９０から取得したコマンドが、非リアルタイムデータ用の書き込み命令であれば、当該コマンドと共に、光ディスクに書き込むべきデータをディスクドライブ部３３０に出力することにより、光ディスクに記録させる。
【００６１】
上記コマンドの一例として、ＡＴＡＰＩでは、リアルタイム書き込み指示はWRITE STREAM DMAとして、非リアルタイム書き込み指示はWRITE DMAとして提供されている。
【００６２】
また、インターフェース部３１０は、入力されたデータをインターフェース部２９０を介してバックエンド部２００に対して出力する。インターフェース部３１０も、インターフェース部２９０と同様に、ＳＡＴＡ（Serial AT attachment）、ＡＴＡＰＩなどとすることができるが、インターフェース部２９０とインターフェース部３１０とは同一規格のインターフェースであることが好ましい。
【００６３】
なお、本実施形態では、インターフェース部２９０、３１０がＳＡＴＡである場合を例に挙げて説明する。
【００６４】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００６５】
情報判定部３２５は、インターフェース部３１０が、リアルタイムデータ用の書き込み命令を取得したか、非リアルタイムデータ用の書き込み命令を取得したかを判定する。そして、ドライブ制御部３２０は、情報判定部３２５の判定結果に基づいて、インターフェース部３１０に対して、インターフェース部２９０から取得したコマンド、及びデータの出力先を指示する。
【００６６】
また、ドライブ制御部３２０は、非リアルタイムデータなど記憶部３４１に記録されているデータを、光ディスクに記録することを指示する命令（トリガ情報と称する）を取得すると、ディスクドライブ部３３０に対して、記憶部３４１に記録されているデータを読み込ませ、その読み込んだデータを、自身に装填されている光ディスクに書き込みをさせる。
【００６７】
ここで、トリガ情報としては、例えば、バックエンド部２００からのディスクドライブ部３３０に装填されている光ディスクへの書き込み内容の確定を表す情報や、光ディスクに対して記録するリアルタイムデータが終了した旨の情報や、ディスクドライブ部３３０に装填されている光ディスクをイジェクト（排出）する旨の情報や、例えば、停電などによって突然、電源が遮断された場合から復旧する旨の情報などである。
【００６８】
このように、ドライブ制御部３２０が、非リアルタイムデータ取得命令を取得するタイミングは任意である。
【００６９】
このように、記憶部３４１に記録されたデータを、光ディスクに記録するタイミングを任意に調整することができる。つまり、必要なときに、記憶部３４１に記録されている非リアルタイムデータを、光ディスクに記録させることができる。このため、光ディスクに対して頻繁に非リアルタイムデータを記録することを防止することができる。
【００７０】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００７１】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスク）に対してデータを書き込むのかを表す情報（書き込み対象領域情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して記憶部３４０の記録対象領域（対象マイディスク）を指定した後に、書き込み命令および書き込み対象データを表すＡＴＡコマンドをドライブ制御部３４０に出力するようにしてもよい。なお、これは書き込み命令に限るものではなく、読み出し命令についても同様である。
【００７２】
（ディスクドライブ部３３０）
ディスクドライブ部３３０は、ドライブ制御部３２０からの指示に基いて動作し、装填されている光ディスクからのデータの読み出し、または光ディスクに対するデータの書き込みを実行する。
【００７３】
ディスクドライブ部３３０は、典型的にはＢＤ（Blue-ray Disc：登録商標）やＤＶＤ（Digital Versatile Disc）などのディスクドライブであるが、これらに限定されない。
【００７４】
ディスクドライブ部３３０は、頻繁なデータの書き換えや、複数のデータの記録領域に並行して、データを書き込む処理が不得手な光ディスクに対してデータを記録するための記録装置である。
【００７５】
情報判定部３３５によって、インターフェース部３１０がリアルタイム書き込み指示を取得したと判定されたとき、インターフェース部３１０がインターフェース部２９０から取得したデータを、インターフェース部３１０から取得し、当該取得したデータを、自身に装填されている光ディスクに記録する。
【００７６】
また、ディスクドライブ部３３０は、ドライブ制御部３２０が非リアルタイムデータ取得命令を取得すると、記憶部３４１に記録されているデータを取得して、当該取得したデータを、自身に装填されている光ディスクに書き込む。
【００７７】
ディスクドライブ部３３０は、装填されている光ディスクからデータを読み出したり、光ディスク対してデータを書き込んだりするための光ピックアップ部などを備えている。
【００７８】
（記憶部３４１）
記憶部３４１（２ｎｄメモリ；セカンドメモリ）は、光ディスクとは異なる記憶装置であり、頻繁なデータの書き換えや、複数のデータの記録領域に並行して、データを書き込む処理に適した記憶領域もしくは記録装置である。つまり、記憶部３４１は、主に、非リアルタイムデータなど、頻繁な書き換えを要するデータを記録する。
【００７９】
記憶部３４１は、情報判定部３２５によって、インターフェース部３１０は非リアルタイム書き込み指示を取得したと判定されたとき、インターフェース部３１０がインターフェース部２９０から取得したデータを記録する。
【００８０】
記憶部３４１は、光ディスクよりもデータアクセス速度が速いものであれば特に限定されるものではないが、電源をオフにしても記録内容の消去されない不揮発性メモリであることが好ましく、より具体的にはフラッシュメモリを用いることが好ましい。
【００８１】
次に、図２、図３を用い、レコーダ装置１０１の動作について説明する。
【００８２】
図２は、レコーダ装置１０１の動作を説明するための図である。図３は、レコーダ装置１０１の動作の処理の流れを表すフローチャートである。
【００８３】
バックエンド部２００は、インターフェース部２９０、３１０を経由して、ドライブ部３０１へデータの書き込み（記録）指示（コマンド）を発行する。
【００８４】
つまり、バックエンド部２００は、コンテンツデータなどのデータを取得する（ステップＳ１０１）と、当該取得したデータが、光ディスクに書き込むべきデータである場合、情報識別部２４５は、発行すべきコマンドを識別する（ステップＳ１０２）。
【００８５】
つまり、発行すべきコマンドが、リアルタイムデータ用の書き込み命令か、非リアルタイムデータ用の書き込み命令かを識別する。ここでは、情報識別部２４５は、光ディスクに書き込むデータが、リアルタイムデータであるか、非リアルタイムデータであるかを識別することによって、発行すべきコマンドを識別するものとする。
【００８６】
そして、情報識別部２４５は、識別結果と共に、識別したコンテンツデータをインターフェース部２９０に出力する。
【００８７】
ここで、アプリケーションでは、ストリームデータを書き込むためのシーケンス（つまりインターフェース部２９０がリアルタイムデータ用の書き込み命令を発行するためのシーケンス）と、アプリケーションを管理するための管理情報を書き込むためのシーケンス（つまり、インターフェース部２９０が非リアルタイムデータ用書き込み命令を発行するためのシーケンス）とが明確に区別されている。
【００８８】
また、ファイルシステムでは、リアルタイムデータ用の書き込みＡＰＩ（アプリケーション・プログラミング・インタフェース、Application Programming Interface）と、非リアルタイムデータ用の書き込みＡＰＩとがそれぞれ用意されている。
【００８９】
アプリケーションはそれぞれのシーケンスにおいて、何れかの書き込みＡＰＩをコールする（読み込む）。これにより、ファイルシステムは、コールされたＡＰＩによって発行すべきコマンドを識別することができる。このように、情報識別部２４５は識別結果を出力する。さらに、ファイルシステム自身の管理情報は、ストリームデータではないので、常に非リアルタイムデータ用書き込み命令を発行すればよい。
【００９０】
このように、インターフェース部２９０は、情報識別部２４５によって識別されたコンテンツデータと共に、識別結果を情報識別部２４５から取得すると、当該識別結果に応じて、リアルタイムデータ用の書き込み命令、又は、非リアルタイムデータ用の書き込み命令であるコマンドを発行する。
【００９１】
インターフェース部２９０は、上記識別結果がリアルタイムデータを示すものであれば、コマンドとして、リアルタイムデータ用の書き込み命令を発行する。また、インターフェース部２９０は、上記識別結果が非リアルタイムデータを示すものであれば、コマンドとして、非リアルタイム書き込み指示を発行する。そして、インターフェース部２９０は、情報識別部２４５によって識別されたコンテンツデータと共に、識別結果に基づいて発行したコマンドを、インターフェース部３１０に出力する。
【００９２】
そして、インターフェース部３１０は、インターフェース部２９０から出力されてきたデータ（リアルタイムデータ、又は非リアルタイムデータ）と共に、コマンド（リアルタイムデータ用の書き込み命令、又は非リアルタイムデータ用の書き込み命令）を取得すると（ステップＳ１０３）、情報判定部３２５は、インターフェース部３１０が取得したコマンドが、リアルタイムデータ用の書き込み命令であるか、非リアルタイムデータ用の書き込み命令であるかを判定する（ステップＳ１０４）。これにより、情報判定部３２５は、インターフェース部３１０が、インターフェース部２９０から取得したコンテンツデータがリアルタイムデータであるか、非リアルタイムデータであるかを判定する。
【００９３】
情報判定部３２５が、インターフェース部３１０が取得したコマンドが、非リアルタイムデータ用の書き込み命令であると判定した場合（ステップＳ１０４のＹＥＳ）、インターフェース部３１０は、記憶部３４１に対して、インターフェース部２９０から取得したデータの書き込み指示を行う。これにより、記憶部３４１は、インターフェース部３１０が取得したデータ、すなわち、非リアルタイムデータの書き込みを行う（ステップＳ１０５）。
【００９４】
また、情報判定部３２５が、インターフェース部３１０が取得したコマンドが、非リアルタイムデータ用の書き込み命令でないと判定した場合（ステップＳ１０４のＮＯ）、インターフェース部３１０は、ディスクドライブ部３３０に対して、インターフェース部２９０から取得したコンテンツデータの書き込み指示を行う。これにより、ディスクドライブ部３３０は、インターフェース部３１０が取得したコンテンツデータ、すなわち、リアルタイムデータを、自身に装填されている光ディスクに対して書き込みを行う（ステップＳ１０６）。
【００９５】
次に、情報判定部３２５は、トリガ情報を取得したかを判定する（ステップＳ１０７）。つまり、インターフェース部３１０がトリガ情報を取得し、情報判定部３２５によって、インターフェース部３１０がトリガ情報を取得したと判定されると（Ｓ１０７のＹＥＳ）、ドライブ制御部３２０は、ディスクドライブ部３３０に対して、光ディスクに非リアルタイムデータを書き込むための命令を出力する。すると、ディスクドライブ部３３０は、記憶部３４１に記録されている非リアルタイムデータを読み込み、自身に装填されている光ディスクに対して書き込みを行う（ステップＳ１０８）。
【００９６】
また、ステップＳ１０７で、情報判定部３２５は、トリガ情報を取得していないと判定すると（ステップＳ１０７のＮＯ）、ステップＳ１０４の処理に戻る。
【００９７】
なお、情報判定部３２５は、インターフェース部３１０が取得したコマンドが、非リアルタイムデータ用の書き込み命令であるか否かを判定する（ステップＳ１０４）ことにより、インターフェース部３１０が取得したデータが、リアルタイムデータか、非リアルタイムデータかを判定するものとして説明したが、インターフェース部３１０が取得したコマンドが、リアルタイムデータ用の書き込み命令であるか否かを判定することにより、インターフェース部３１０が取得したデータが、リアルタイムデータか、非リアルタイムデータかを判定するようにしてもよい。
【００９８】
図２では、ステップＳ１０３〜Ｓ１０５で説明した、非リアルタイムデータを記憶部３４１に書き込む場合の、非リアルタイムデータの流れを矢印Ａで表している。また、図２では、ステップＳ１０３、ステップＳ１０４、ステップＳ１０６で説明した、リアルタイムデータを光ディスクに書き込む場合のリアルタイムデータの流れを矢印Ｂで表している。さらに、図２では、ステップＳ１０７、Ｓ１０８で説明した、ドライブ制御部３２０が、トリガ情報を取得したと判定した場合に、記憶部３４１に記憶されている非リアルタイムデータを光ディスクに書き込む場合の非リアルタイムデータの流れを矢印Ｃで表している。
【００９９】
上述したように、ドライブ部３０１では、主に非リアルタイムデータを記録するために記憶部３４１を、光ディスクとは別に設けている。これにより、頻繁に内容の更新が必要となる非リアルタイムデータの内容を更新するために、頻繁に、光ディスクに対して、非リアルタイムデータを記録し直す必要がないので、光ディスクへのデータの書き込み効率を向上させることができる。
【０１００】
このため、ドライブ部３０１によると、光ディスクに、頻繁に非リアルタイムデータを記録し直すことによる光ディスクの劣化を防止することができる。
【０１０１】
また、光ディスクによっては、情報を記録できる回数制限が設けられている場合がある。このような光ディスクにリアルタイムデータ及び非リアルタイムデータを記録する場合でも、ドライブ部３０１は、記憶部３４１を設けているので、非リアルタイムデータの内容更新に伴い、その都度、非リアルタイムデータを頻繁に光ディスクに記録し直す必要がなく、情報を記録できる回数制限の上限を超えることを抑制することができる。
【０１０２】
また、一般的に、光ディスクには、リアルタイムデータを管理するためのリアルタイムデータ管理情報（管理情報）を記録するための管理情報記録領域が設けられている。このため、このような光ディスクに対して管理情報を記録するには、管理情報記録領域の位置調整を行う必要がある。
【０１０３】
そこで、上述したように、非リアルタイムデータを記録するための記憶部３４１を、光ディスクとは別に設けているので、光ディスクに対して、頻繁に、非リアルタイムデータを記録し直す必要がなく、光ディスクに管理情報記録領域が設けられていたとしても、非リアルタイムデータを記録するために、頻繁に、ピックアップ部と、管理情報記録領域との位置調整を行う必要がない。このため、ドライブ部３０１によると、光ディスクに記録すべきデータの時間を短縮することができる。
【０１０４】
このように、上述したようなドライブ部３０１の構成によると、光ディスクの特性に対して依存が少なく、光ディスクに対して短時間で情報の記録ができる光ディスクドライブ装置を提供することができる。
【０１０５】
また、ドライブ部３０１は、主に非リアルタイムデータを記録するための記憶部３４１を備えているので、バックエンド部２００は、リアルタイムデータと、非リアルタイムデータとを意識せず、ドライブ部３０１に出力することができる。つまり、非リアルタイムデータを記憶するための記憶手段をバックエンド部２００に設ける必要がない。
【０１０６】
このように、バックエンド部２００はメディア特性を意識せず、ドライブ部３０１に対して、データの書き込み指示を行うことができるので、バックエンド部２００の開発・保守の効率が向上する。
【０１０７】
また、記憶部３４１が不揮発性メモリで構成されている場合、停電などで突然、電源が遮断（電源オフ）された場合でも、記録内容が消去されない。このため、光ディスクに記録すべきリアルタイムデータ、及び非リアルタイムデータが、バックエンド部２００からドライブ部３０１に送信中に電源オフされたとしても、次に、復旧のため電源オンされたときに、ドライブ制御部３２０は、記憶部３４１を参照することで、バックエンド部２００から受信途中であったリアルタイムデータ、及び非リアルタイムデータのうち、どこまで受信したかを認識することができる。これにより、ドライブ制御部３２０が、バックエンド部２００から受信途中であった、リアルタイムデータ、又は非リアルタイムデータの受信開始位置を特定することができる。
【０１０８】
（変形例）
上述した説明では、リアルタイムデータを直接、ディスクドライブ部３３０に充填された光ディスクへ書き込む例を示したが、記憶部３４１に、リアルタイムデータを書き込む領域を設けてもよい。
【０１０９】
ここで、一般的に、光ディスクへデータを記録する際、光ディスクへのデータの記録が確定するまでに遅延が生じる。
【０１１０】
そこで、記憶部３４１に、リアルタイムデータを書き込む領域を設けることにより、光ディスクへのデータの記録が確定するまでに生じる遅延を補償することができる。これにより、バックエンド部２００は、光ディスクへのデータの記録が確定するまでに生じる遅延を意識せずに、ドライブ部３０１に対して、リアルタイムデータ及び非リアルタイムデータを送信することができる。
【０１１１】
このためには、まず、インターフェース部３１０が取得した、リアルタイム書き込み命令によるリアルタイムデータを記憶部３４１に記録させる。そして、次に、非リアル書き込み命令による非リアルタイムデータを記憶部３４１に記録させる。または、インターフェース部３１０が取得したリアルタイムデータ、及び非リアルタイムデータを共に、記憶部３４１と、ディスクドライブ部３３０に装填された光ディスクに記録するというデータの流れになる。
【０１１２】
〔実施形態２〕
次に、本発明の第２の実施形態に係るレコーダ装置の構成について、図４を用い説明する。図４は、本実施の形態に係るレコーダ装置１００（情報記録装置）の構成を表すブロック図である。
【０１１３】
レコーダ装置１００は、ドライブ部３０１に換えて、ドライブ部３００（ドライブ装置）を備える点でレコーダ装置１０１と異なる。そして、ドライブ部３００は、記憶部３４０を備える点で、ドライブ部３０１と異なる。
【０１１４】
なお、説明の便宜上、前記実施の形態１にて説明した図面と同じ機能を有する部材については、同じ符号を付記し、その説明を省略する。
【０１１５】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【０１１６】
なお、記憶部３４０は、光ディスクよりもデータアクセス速度が速いものであれば特に限定されるものではないが、電源をオフにしても記録内容の消去されない不揮発性メモリであることが好ましい。
電源をオフにしても記録内容の消去されない不揮発性メモリであることが好ましく、より具体的にはフラッシュメモリを用いることが好ましい。
【０１１７】
また、後述するが、記憶部３４０は、仮想的に複数の領域に分割される。そして、本明細書等では、記憶部３４０における各領域に対して対応付けられた光ディスク、すなわち自身の有するメディアＩＤ（光ディスク識別情報）が記憶部３４０に記録されている光ディスクを「マイディスク」と称する。
【０１１８】
なお、記憶部３４０と、記憶部３４１とは、物理的に分かれた異なるメモリからなっていてもよく、また、１つのメモリ内で仮想的に分割された異なる領域からなっていてもよい。
【０１１９】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図５（ａ）および（ｂ）および図６（ａ）および（ｂ）を参照して説明する。レコーダ装置１００における事前設定は、記憶部３４０の初期化処理と、記憶部３４０に対する光ディスクの登録処理の２つに大別することができる。
【０１２０】
＜記憶部３４０の初期化処理＞
記憶部３４０の初期化処理について、図５（ａ）および（ｂ）を参照しつつ説明する。図５（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【０１２１】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【０１２２】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図５（ａ）に示すような画像を表示することが好ましい。
【０１２３】
なお、記憶部３４０において仮想的に分割される領域の数は、例えば「ｎ個（枚）」などのようにユーザーにより明示的に指示された数であってもよいし、ユーザーの所望する録画画質に応じて設定される数であってもよい。
【０１２４】
図５（ｂ）は、初期化処理後の記憶部３４０を示している。図５（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【０１２５】
管理領域は、図５（ｂ）に示すように、領域１〜領域ｎを管理するマイディスク管理領域と、マイディスク管理領域を管理するメモリ管理領域と、に分けることができる。
【０１２６】
マイディスク管理領域には、領域１〜領域ｎの各領域を管理する管理情報が記録されている。図５（ｂ）では、便宜上、領域１を管理する管理情報の記録されている領域を「エントリ１」と称し、以下同様に領域２〜ｎを管理する管理情報の記録されている領域をエントリ２〜ｎと称する。
【０１２７】
領域１を管理するエントリ１には、エントリ番号、割り当てフラグ、メディアＩＤ情報、割り当てエリア情報、メディアキー情報およびマップ情報が記録されている。これらの各情報について以下に説明する。
【０１２８】
「エントリ番号」は、いずれの領域を管理するのかを示す情報である。例えば、エントリ１は、領域１を管理する管理情報であるため、エントリ番号としては「１」を示す情報が記録されている。
【０１２９】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【０１３０】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【０１３１】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていてもよい。
【０１３２】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【０１３３】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【０１３４】
また、メモリ管理領域には、図５（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【０１３５】
なお、記憶部３４０を領域１〜領域ｎに仮想的に分割した時に生じる余りの領域を予備領域として活用するようにしてもよい。
【０１３６】
＜光ディスクの登録処理＞
次に、記憶部３４０に対する光ディスクの登録処理について、図６（ａ）および（ｂ）を参照しつつ説明する。図６（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【０１３７】
光ディスクの登録処理とは、記憶部３４０において仮想的に分割されている各領域を管理するエントリに対して、光ディスクのメディアＩＤを記録する処理である。
【０１３８】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【０１３９】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【０１４０】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【０１４１】
また、割り当てフラグが「０」であるエントリが複数存在する場合には、いずれのエントリに対してメディアＩＤを記録するのかをユーザーが選択できるようにしてもよい。この場合、ドライブ制御部３２０は、ユーザーにより指定されたエントリに対してメディアＩＤを記録する。
【０１４２】
なお、メディアＩＤをエントリに記録する際には、表示装置に図６（ａ）に示すような画像を表示するようにすることが好ましい。
【０１４３】
図６（ｂ）は、メディアＩＤ「ａａａ」を有する光ディスクをエントリ１に記録した場合における光ディスクの登録後の記憶部３４０の状態を示している。
【０１４４】
光ディスクのメディアＩＤをエントリ１に記録した場合、図６（ｂ）に示すように、光ディスクはエントリ１により管理される領域１に対して対応付けられることになる。
【０１４５】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【０１４６】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【０１４７】
レコーダ装置１００におけるコンテンツ録画動作について、図７（ａ）〜（ｃ）〜図１６（ａ）〜（ｃ）を参照して以下に説明する。なお、ここでは、コンテンツ録画動作として、予約録画処理を例に挙げて説明する。
【０１４８】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１４９】
（予約登録処理）
まず、レコーダ装置１００における予約登録処理について、図７（ａ）〜（ｃ）を参照しつつ以下に説明する。図７（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１５０】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１５１】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図７（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であってもよい。なお、予約情報に含まれる各情報は、ユーザーが入力するようにしてもよいし、電子番組表においてユーザーが選択した番組を表す番組情報に基づいて設定するようにしてもよい。
【０１５２】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図７（ｂ））。このとき、ディスク１には、既にメディアＩＤは記録されているため、メディアＩＤについては記録しなくてもよい。
【０１５３】
なお、予約情報の設定の際にユーザーが記録対象マイディスクを選択することができるようにしてもよい。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１５４】
図７（ｃ）には、記憶部３４０の領域１に対応付けられたディスク１を装填している場合に予約登録した際の表示装置に表示する画像の一例を示している。
【０１５５】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図８（ａ）および（ｂ）を参照しつつ以下に説明する。図８（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１５６】
コンテンツ１の録画が完了すると、図８（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１５７】
次に、コンテンツ１を記憶部３４０の領域１およびディスク１に記録した際の記憶部３４０および記憶部２８０の状態について図９（ａ）〜（ｃ）を参照しつつ以下に説明する。図９（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１５８】
ここで、一般的には、記憶部３４０の領域１とディスク１とのデータ容量は異なる。そのため、領域１では、物理アドレスとは別に、ディスク１におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１５９】
図９（ａ）には、記憶部３４０の領域１における仮想ディスクイメージを示している。図９（ａ）に示すように、記憶部３４０の領域１において、物理アドレス「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１６０】
続いて、図９（ａ）において示した物理アドレスと仮想アドレスとの関連付けを実現するためのマップテーブルについて、図９（ｂ）を参照しつつ説明する。
【０１６１】
マップテーブルは、記憶部３４０のマイディスク管理領域におけるマップ情報として記録されている。マップテーブルは、図９（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１６２】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１６３】
また、記憶部３４０のある領域に記録されているコンテンツを、当該ある領域に対応付けられたマイディスクに対して記録するための命令を、実施の形態１で説明したトリガ情報としてもよい。
【０１６４】
マップテーブルは、コンテンツ１が領域１に記録されると共に内容が更新される。記憶部３４０の領域１が図９（ａ）に示す状態である場合のマップテーブルを、図９（ｂ）に示す。図９（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１６５】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１６６】
なお、図９（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１６７】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図９（ｃ）を参照して説明する。なお、タイトル管理領域は、記憶部３４０において仮想的に分割されている領域の数だけ記憶部２８０に設けられている。
【０１６８】
タイトル管理テーブルには、図９（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１６９】
図９（ｂ）に示したマップテーブルを設定したときのタイトル管理テーブルの一例を、図９（ｃ）に示している。このとき、タイトル１における残りダビング回数は、コンテンツ１をディスク１へ記録したため、残り１０回から１回減算されて「９」回となっている。
【０１７０】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図１０（ａ）および（ｂ）を参照しつつ以下に説明する。図１０（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１７１】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド制御部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１７２】
コンテンツ２の録画が終了すると、図１０（ｂ）に示すように、バックエンド制御部２４０は記憶部２８０における予約情報管理領域からコンテンツ２の予約録画を示す予約情報を消去する。
【０１７３】
次に、コンテンツ２を記憶部３４０の領域１に記録した際の記憶部３４０および記憶部２８０の状態について図１１（ａ）〜（ｃ）を参照しつつ以下に説明する。図１１（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１７４】
図１１（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１７５】
コンテンツ２が領域１に記録されると共に、記憶部３４０のエントリ１におけるマップ情報に記録されているマップテーブルも更新される。記憶部３４０の領域１が図１１（ａ）に示す状態のマップテーブルを、図１１（ｂ）に示す。図１１（ｂ）に示すように、図９（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１７６】
また、図１１（ｃ）には、図１１（ｂ）に示したマップテーブルが設定されたときのタイトル管理テーブルの一例を示している。図１１（ｃ）に示すように、タイトル管理テーブルでは、図９（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１７７】
（コンテンツの同期処理）
次に、記憶部３４０に記録されたコンテンツであってマイディスクに対して記録されていないコンテンツを、マイディスクに対して記録する同期処理について、図１２〜図１４（ａ）〜（ｃ）を参照して以下に説明する。
【０１７８】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。なお、この指示をトリガ情報としてもよい。
【０１７９】
そして、ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図１２）。すなわち、コンテンツ２は同期状態となる。
【０１８０】
ドライブ制御部３２０は、ディスク１に対するコンテンツ２の書き出しが完了すると、バックエンド部２００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１８１】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１２）。なお、図１２は、コンテンツの同期処理後の記憶部３４０およびディスク１の状態を示す図である。
【０１８２】
次に、記憶部３４０の領域１に記録されているコンテンツ２をディスク１に書き出した際の記憶部３４０および記憶部２８０の状態について図１３（ａ）〜（ｃ）を参照しつつ以下に説明する。図１３（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１８３】
図１３（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１８４】
コンテンツ２の同期処理が完了すると、図１３（ｂ）に示すように、エントリ１のマップ情報に記録されているマップテーブルの同期フラグが、コンテンツがマイディスクに記録されていることを表す「１」となる。また、図１３（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１８５】
次に、ディスク１において「０ｘ２５０」を先頭アドレスとするコンテンツ（コンテンツ３）が既に記録されている場合のコンテンツ２の同期処理について、図１４（ａ）〜（ｄ）を参照して以下に説明する。
【０１８６】
図１４（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１８７】
図１４（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１８８】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１８９】
このとき、領域１のマップテーブルについても、図１４（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１９０】
同様に、図１４（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１９１】
（領域１に記録されているコンテンツの削除）
記憶部３４０における領域１の空き容量が少なくなった場合には、領域１に記録されているコンテンツを削除するようにすればよい。領域１に記録されているコンテンツの削除は、ユーザーの指示により実行されるようにしてもよいし、領域１における空き容量が所定値以下となった場合に自動的に実行されるようにしてもよい。
【０１９２】
図１５は、領域１に記録されていたコンテンツ１およびコンテンツ２を削除した後に、新たにコンテンツ４を録画したときの記憶部３４０およびディスク１の状態を示す図である。なお、図１５は、マイディスクが装填されている状態での録画のため、コンテンツ４はディスク１に対しても記録されている。
【０１９３】
図１５に示す状態、すなわちコンテンツ１およびコンテンツ２を領域１から削除した後に領域１にコンテンツ４を記録したときの記憶部３４０および記憶部２８０の状態について図１６（ａ）〜（ｃ）を参照しつつ以下に説明する。図１６（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１９４】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１６（ａ）に示すように、コンテンツ１およびコンテンツ２は、仮想ディスクイメージ上においては消去されることなく残されている。すなわち、図１６（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１９５】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１９６】
また、図１６（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１９７】
＜コンテンツ再生動作＞
次に、レコーダ装置１００におけるコンテンツの再生動作について、図１７〜図２０を参照しつつ以下に説明する。
【０１９８】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１９９】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０２００】
（マイディスクが装填されている場合の再生処理）
マイディスクが装填されている場合の再生処理について、図１７および図１８を参照して以下に説明する。図１７は、コンテンツ１〜３を記録したディスク１が装填されている場合の記憶部３４０および記憶部２８０の状態を示す図である。図１８は、マイディスクが装填されている場合において、再生時にコンテンツが読み出される媒体を模式的に示した図である。
【０２０１】
図１７に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１７では、タイトル管理テーブルの詳細については省略して示している。
【０２０２】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０２０３】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０２０４】
領域１からコンテンツ１を読み出したドライブ制御部３２０は、読み出したコンテンツ１を、インターフェース部３１０を介してバックエンド部２００に出力する。
【０２０５】
このように、読み出しの対象となるコンテンツがマイディスクにも記憶部３４０にも記録されている場合、図１８に示すように、コンテンツは記憶部３４０から読み出される。
【０２０６】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０２０７】
ディスク１からコンテンツ３が読み出されると、ドライブ制御部３２０は、読み出したコンテンツ３を、インターフェース部３１０を介してバックエンド部２００に出力する。
【０２０８】
このように、読み出しの対象となるコンテンツが記憶部３４０に記録されていない場合、図１８に示すように、コンテンツはマイディスクから読み出される。
【０２０９】
（マイディスクが装填されていない場合の再生処理）
続いて、マイディスクが装填されていない場合の再生処理について、図１９および図２０を参照して以下に説明する。図１９は、ドライブ部３００に光ディスクが装填されていない場合の記憶部３４０および記憶部２８０の状態を示す図である。図２０は、マイディスクが装填されていない場合において、再生時にコンテンツが読み出される媒体を模式的に示した図である。
【０２１０】
図１９に示すように、記憶部３４０の領域１には、コンテンツ１およびコンテンツ２が記録されている。しかし、図１７の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１９では、図１７と同様に、タイトル管理テーブルの詳細については省略して示している。
【０２１１】
図１９に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０２１２】
すなわち、図２０に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０２１３】
なお、図２０に示すコンテンツ１の読み出し処理は、マイディスクが装填されている場合におけるコンテンツ１の読み出し処理と同様であるため、ここでは説明を省略する。
【０２１４】
＜コンテンツ編集動作＞
次に、レコーダ装置１００におけるコンテンツの編集動作について、図２１および図２２（ａ）および（ｂ）を参照しつつ以下に説明する。
【０２１５】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０２１６】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０２１７】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０２１８】
（マイディスクが装填されている場合の編集処理）
マイディスクが装填されている場合の編集処理について、図１７および図２１を参照して以下に説明する。図２１は、マイディスクが装填されている場合において、コンテンツが編集される媒体を模式的に示した図である。
【０２１９】
図１７に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１７では、タイトル管理テーブルの詳細については省略して示している。
【０２２０】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０２２１】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０２２２】
このように、データを変更する対象となるコンテンツがマイディスクにも記憶部３４０にも記録されている場合、図２１に示すように、記憶部３４０に記録されているコンテンツのデータが変更されることになる。
【０２２３】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしてもよい。
【０２２４】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０２２５】
（マイディスクが装填されていない場合の編集処理）
続いて、マイディスクが装填されていない場合のコンテンツの編集処理について、図１９および図２２（ａ）および（ｂ）を参照して以下に説明する。図２２（ａ）および（ｂ）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０２２６】
図１９に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０２２７】
すなわち、図２２（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０２２８】
＜コンテンツコピー動作＞
次に、レコーダ装置１００におけるコンテンツのコピー動作について、図２３（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２３（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０２２９】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０２３０】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２３（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０２３１】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２３（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０２３２】
なお、図２３（ａ）に示すように、ディスク２はドライブ部３００に装填されていないため、領域２に記録されているコンテンツ２の同期状態は、未同期を表す情報である。
【０２３３】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０２３４】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０２３５】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０２３６】
ここで、光ディスクのファイルシステムを利用したデータ管理について、図２４（ａ）〜（ｃ）を参照しつつ以下に説明する。図２４（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０２３７】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０２３８】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２４（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０２３９】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０２４０】
なお、図２４（ａ）には、ディスク１に関するファイルシステムについてのみ示しているが、記憶部２８０のファイルシステム管理領域には、マイディスクとして登録されているディスクの数だけファイルシステムが記録されている。
【０２４１】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０２４２】
さらに、図２４（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０２４３】
このように、記憶部３４０に記録されているマップ情報は、本実施形態ではコンテンツごとの配置情報として示しているが、より正確には、図２４（ｃ）に示すように、領域（ファイル）ごとの配置情報を示すものである。
【０２４４】
また、マイディスクの登録解除の際には、ファイルシステム管理領域に記録されているファイルシステムについても、タイトル管理情報と併せて削除される。
【０２４５】
＜表示装置における表示例＞
最後に、レコーダ装置１００に接続された表示装置におけるコンテンツとタイトルリストに記録されている情報との表示例について、図２５を参照しつつ以下に説明する。図２５は、表示装置５００上でのコンテンツおよびタイトルリストに記録されている情報の表示を概略的に示す図である。
【０２４６】
操作入力部を介してユーザーがタイトルリストの表示をレコーダ装置１００に対して指示すると、表示装置５００では、タイトルリストおよびコンテンツが図２５に示すように表示される。
【０２４７】
すなわち、図２５に示すように、表示装置５００における表示画面は、これまで視聴していたコンテンツを引き続き表示するコンテンツ表示部５１０と、タイトルリストを表示するタイトルリスト表示部５２０との２つの画面に分割されることになる。
【０２４８】
タイトルリスト表示部５２０には、図２５に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０２４９】
図２５では、ディスク１のタブを選択したときのタイトルリストを示している。このとき、選択しているディスクを表す情報（アイコン）を表示部５３０に表示することが好ましい。また、ユーザーがタイトルリスト表示部５２０に表示されている各タイトルを選択した場合には、仮選択したタイトルにより示されるコンテンツのサムネイルを表示部５３０に表示することが好ましい。
【０２５０】
（プログラム、コンピュータ読み取り可能な記録媒体）
また、ドライブ部３０１の各ブロック、特にドライブ制御部３２０、情報判定部３２５は、ハードウェアロジックによって構成してもよいし、次のようにコンピュータを用いてソフトウェアによって実現してもよい。
【０２５１】
すなわち、ドライブ制御部３２０、情報判定部３２５は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるドライブ制御部３２０、情報判定部３２５の制御プログラムのプログラムコード（実行形式プログラム、中間コードプログラム、ソースプログラム）をコンピュータで読み取り可能に記録した記録媒体を、上記ドライブ制御部３２０、情報判定部３２５に供給し、そのコンピュータ（またはＣＰＵやＭＰＵ）が記録媒体に記録されているプログラムコードを読み出し実行することによっても、達成可能である。
【０２５２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２５３】
また、ドライブ制御部３２０、情報判定部３２５を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２５５】
本発明は、頻繁に内容更新がされるデータを記録するための記憶部を、光ディスクとは別に備えるので、頻繁に内容の更新が必要で、光ディスクにデータを記録する記録装置に利用することができる。
【符号の説明】
【０２５６】
１００  レコーダ装置（情報記録装置）
１０１  レコーダ装置（情報記録装置）
２００  バックエンド部（バックエンド装置）
２４０  バックエンド制御部
２４５  情報識別部（情報識別手段）
２８０  記憶部
２９０  インターフェース部（データ出力手段）
３００  ドライブ部（ドライブ装置）
３０１  ドライブ部（ドライブ装置）
３１０  インターフェース部
３２０  ドライブ制御部（制御手段）
３２５  情報判定部（判定手段）
３３０  ディスクドライブ部（着脱型記録媒体書き込み手段）
３３５  情報判定部（情報判定手段）
３４０  記憶部
３４１  記憶部（記録媒体）
【図１】
2010238338.tif 000003
【図２】
2010238338.tif 000004
【図３】
2010238338.tif 000005
【図４】
2010238338.tif 000006
【図５】
2010238338.tif 000007
【図６】
2010238338.tif 000008
【図７】
2010238338.tif 000009
【図８】
2010238338.tif 000010
【図９】
2010238338.tif 000011
【図１０】
2010238338.tif 000012
【図１１】
2010238338.tif 000013
【図１２】
2010238338.tif 000014
【図１３】
2010238338.tif 000015
【図１４】
2010238338.tif 000016
【図１５】
2010238338.tif 000017
【図１６】
2010238338.tif 000018
【図１７】
2010238338.tif 000019
【図１８】
2010238338.tif 000020
【図１９】
2010238338.tif 000021
【図２０】
2010238338.tif 000022
【図２１】
2010238338.tif 000023
【図２２】
2010238338.tif 000024
【図２３】
2010238338.tif 000025
【図２４】
2010238338.tif 000026
【図２５】
2010238338.tif 000027